(57)【要約】【課題】不要電波の送信を無くして電力消費を抑える。【解決手段】電気錠システム１は、各々鍵データを記憶した複数種類の携帯器２に対応し、携帯器２と無線通信を行って携帯器２から受信した鍵データを正常認証したときに電気錠５を解錠制御又は施錠制御する送受信器４を備える。送受信器４は、電気錠５の制御を許可する携帯器２を登録するときに、複数種類の携帯器２の個々に対応する呼出し電波を繰り返し送信し、最初の携帯器２又は最初の携帯器２から所定種類の携帯器２が呼出し電波を受信して応答する鍵データが登録されると、その登録された携帯器２の呼出し電波のみを送信する。【選択図】図１
2015067998.tif 000002
【特許請求の範囲】
【請求項１】
各々鍵データを記憶した複数種類の鍵媒体に対応し、前記鍵媒体と無線通信を行って該鍵媒体から受信した鍵データを正常認証したときに電気錠を解錠制御又は施錠制御する送受信器を備えた電気錠システムにおいて、
前記送受信器は、前記電気錠の制御を許可する鍵媒体を登録するときに、前記複数種類の鍵媒体の個々に対応する呼出し電波を繰り返し送信し、最初の鍵媒体又は最初の鍵媒体から所定種類の鍵媒体が前記呼出し電波を受信して応答する鍵データが登録されると、その登録された鍵媒体の呼出し電波のみを送信することを特徴とする電気錠システム。
【発明の詳細な説明】
【技術分野】
【０００１】
本発明は、例えば非接触ＩＣカード、近接型ＩＣカード、ＩＣタグ、非接触型ＩＣ搭載の携帯端末（スマートフォン、携帯電話）などを鍵媒体として用い、この鍵媒体に記憶された鍵データを正常認証したときのみ電気錠を解錠又は施錠制御する電気錠システムに関するものである。
【背景技術】
【０００２】
近年、電気錠システムは、例えばホテルやオフィスビル等の商業施設や公共施設の入出口、集合住宅や一般住宅のエントランスや玄関等において広く普及しており、例えば非接触ＩＣカード、近接型ＩＣカード、ＩＣタグ、非接触型ＩＣ搭載の携帯端末（スマートフォン、携帯電話）などを鍵媒体として用い、送受信器や電気錠を含むロック装置を建物の扉や扉近傍の壁面等に配設したものが知られている。
【０００３】
この種の電気錠システムでは、鍵媒体とロック装置の送受信器との間で近距離非接触通信を行い、ロック装置から呼出し電波を繰り返し送信し、この呼出し電波の受信に伴う応答として鍵媒体から送信される鍵データ（例えばカード番号、端末情報などの鍵媒体を特定する情報）をロック装置の送受信器が受信している。そして、ロック装置の送受信器は、鍵媒体から取得した鍵データと予め登録された鍵媒体情報とを照合し、取得した鍵データを正常認証したときのみ電気錠を解錠又は施錠制御している。尚、この種の電気錠システムとしては、例えば下記特許文献１に開示されるように、カード状記憶媒体を鍵媒体として用いた施錠装置が知られている。
【０００４】
そして、この種の電気錠システムでは、例えば通信方式、通信規格、使用周波数などが異なる複数種類の鍵媒体に対応するため、電気錠の解錠又は施錠制御を許可する複数種類の鍵媒体を事前に登録している。具体的には、例えばスイッチによる切り替えや管理カードによる認証などによってロック装置の送受信器を登録モードに設定し、ロック装置の送受信器から各種類毎の鍵媒体の呼出し電波を電波干渉しないように時間をずらして繰り返し送信し、この呼出し電波に応答して鍵媒体から送信される鍵データを送受信器が受信し、鍵媒体情報として保存することにより全ての種類の鍵媒体の登録を行っている。
【０００５】
ところで、この種の電気錠システムの使用形態としては、システムで対応可能な全ての種類の鍵媒体を使用せずに、複数種類の鍵媒体の中から種類を限定して使用する場合もあり得る。
【先行技術文献】
【特許文献】
【０００６】
【特許文献１】特開２００７−２２６７４９号公報
【発明の概要】
【発明が解決しようとする課題】
【０００７】
しかしながら、従来の電気錠システムでは、複数種類の鍵媒体の中から数種類（例えば１種類、２種類）の鍵媒体しか使わない場合であっても、ロック装置の送受信器から複数種類全ての鍵媒体の呼出し電波を送信するので、使用しない呼出し電波が不要電波として送信（放射）されてしまう。このため、無駄に電力を消費し、使用しない呼出し電波による送受信を行っていいる時間が存在し、電気錠を制御するための反応速度も遅くなるという課題があった。
【０００８】
また、仮に鍵媒体の種類を１種類に限定するため、例えば付属部品として設定スイッチ等を増設し、複数種類の鍵媒体の中から１種類の鍵媒体を設定スイッチ等の切り替えにより設定する構成とした場合には、付属部品によるコスト高に加え、施工者が嫌う設定作業の手間が増えるという課題が生じる。
【０００９】
さらに、鍵媒体の種類毎に電気錠システムを用意する構成とした場合には、電気錠システムの在庫が増え、手配間違いが発生するという課題が生じる。
【００１０】
そこで、本発明は上記問題点に鑑みてなされたものであり、不要電波の送信を無くして電力消費を抑えることができる電気錠システムを提供することを目的とするものである。
【課題を解決するための手段】
【００１１】
上記した目的を達成するために、請求項１に記載された電気錠システムは、各々鍵データを記憶した複数種類の鍵媒体に対応し、前記鍵媒体と無線通信を行って該鍵媒体から受信した鍵データを正常認証したときに電気錠を解錠制御又は施錠制御する送受信器を備えた電気錠システムにおいて、
前記送受信器は、前記電気錠の制御を許可する鍵媒体を登録するときに、前記複数種類の鍵媒体の個々に対応する呼出し電波を繰り返し送信し、最初の鍵媒体又は最初の鍵媒体から所定種類の鍵媒体が前記呼出し電波を受信して応答する鍵データが登録されると、その登録された鍵媒体の呼出し電波のみを送信することを特徴とする。
【発明の効果】
【００１２】
本発明によれば、使用しない鍵媒体の呼出し電波による通信を行わないので、不要電波の送信（放射）が無くなり、無駄に電力を消費せず、電気錠を制御する際の反応速度も速くすることができる。
【図面の簡単な説明】
【００１３】
【図１】本発明に係る電気錠システムの概略構成を示すブロック図であって、登録モード時の一例を示す図である。
【図２】本発明に係る電気錠システムにおいて登録モード時に１種類の携帯器を登録する場合の一例を示す説明図である。
【図３】本発明に係る電気錠システムにおいて登録モード時に２種類の携帯器を登録する場合の一例を示す説明図である。
【発明を実施するための形態】
【００１４】
以下、本発明を実施するための形態について、添付した図面を参照しながら詳細に説明する。図１は本発明に係る電気錠システムの概略構成を示すブロック図であって、登録モード時の一例を示す図、図２は本発明に係る電気錠システムにおいて登録モード時に１種類の携帯器を登録する場合の一例を示す説明図、図３は本発明に係る電気錠システムにおいて登録モード時に２種類の携帯器を登録する場合の一例を示す説明図である。尚、図１は図２に対応した構成を示している。
【００１５】
本発明に係る電気錠システム１は、図１に示すように、携帯器２を鍵媒体として用い、この携帯器２との間で近距離非接触通信を行うロック装置３を備えて概略構成される。
【００１６】
携帯器２は、例えば非接触ＩＣカード、近接型ＩＣカード、ＩＣタグ、非接触型ＩＣ搭載の携帯端末（スマートフォン、携帯電話）などで構成される。具体的には、通信方式、通信規格、使用周波数などが異なる複数種類の携帯器（例えばＲＦＩＤ対応の認証機器、非接触型ＩＣカード対応のｆｅｌｉＣａ（登録商標）、タッチキー対応の認証機器、ＩＣタグ対応のＴａｇ−ｉｔ（登録商標）、非接触ＩＣカードや近接型ＩＣカード対応のＭｉｆａｒｅ（登録商標）等の鍵媒体）２の中から選択的に用いられる。
【００１７】
ロック装置３は、携帯器２との間で無線通信（近距離非接触通信）を行うもので、送受信器４と電気錠５を備えている。
【００１８】
送受信器４は、送信部４ａ、受信部４ｂ、記憶部４ｃ、制御部４ｄを備えている。送信部４ａは、携帯器２との間で無線通信を行い、登録モード時に、複数種類の携帯器２の個々に対応した呼出し電波を繰り返し送信している。また、送信部４ａは、運用モード時に、登録済の携帯器２の種類のみの呼出し電波を繰り返し送信している。
【００１９】
受信部４ｂは、送信部４ａからの呼出し電波の送信に伴う応答として、携帯器２から送信される鍵データを受信している。
【００２０】
記憶部４ｃは、登録モード時に受信部４ｂが受信した携帯器２の鍵データ（例えばカード番号、端末情報などの鍵媒体を特定する情報）を鍵媒体情報として記憶している。
【００２１】
制御部４ｄは、登録モード時に、受信部４ｂが受信した所定種類の携帯器２からの鍵データを鍵媒体情報として記憶部４ｃに記憶し、所定種類の携帯器２の登録処理を行っている。また、制御部４ｄは、運用モード時に、受信部４ｂが受信した鍵データと記憶部４ｃに記憶された鍵媒体情報とを照合し、携帯器２からの鍵データの正当性を判別し、携帯器２の認証を行っている。さらに、制御部４ｄは、携帯器２から受信した鍵データを正常認証したときに、電気錠５を解錠又は施錠制御するための制御信号を出力している。
【００２２】
電気錠５は、電池や商用電源を駆動源とし、送受信器４の制御部４ｄからの制御信号により、例えばモーターやソレノイドなどの駆動手段への通電が制御され、駆動手段に連結されるデッドボルトを扉枠の係合穴に進退させることで施錠又は解錠される従来より周知の構成であり、電気錠システム１が採用される各種扉毎に適宜設置される。
【００２３】
次に、上記のように構成された電気錠システム１における携帯器２の登録時の動作について図２及び図３を参照しながら説明する。ここでは、一例として、本例の電気錠システム１で対応可能な携帯器２を種類Ａ，Ｂ，Ｃの３種類とし、１種類（図２の例では種類Ａ）の携帯器２のみを登録して運用する場合と、複数種類（図３の例では種類Ａ，Ｂの２種類）の携帯器２を登録して運用する場合について説明する。
【００２４】
（１種類の携帯器２のみを登録して運用する場合）…図２
まず、所定の操作により送受信器４を運用モードから登録モードに切り替える。送受信器４は、登録モードに切り替わると、登録対象となる種類Ａの携帯器２を最初（１番目）の携帯器２として近接させ、この最初の種類Ａの携帯器２が登録されるまで全ての種類Ａ，Ｂ，Ｃの携帯器２の呼び出し電波を繰り返し送信する。
【００２５】
そして、送受信器４は、種類Ａの携帯器２の呼び出し電波の送信に対し、最初（１番目）の種類Ａの携帯器２が呼び出し電波を受信すると、この最初の種類Ａの携帯器２を登録する。すなわち、送受信器４は、最初の種類Ａの携帯器２から呼出し電波の応答として受信した鍵データを鍵媒体情報として記憶部４ｃに記憶する。
【００２６】
これにより、送受信器４は、以降、種類Ａの携帯器２の呼び出し電波のみを送信し、種類Ｂ，Ｃの携帯器２の呼出し電波の送信を停止する。この結果、２番目の種類Ｂの携帯器２及び３番目の種類Ｃの携帯器２には呼出し電波が送信されず、送受信器４と種類Ｂ，Ｃの携帯器２との間で無線通信を行うことはない。
【００２７】
そして、送受信器４は、種類Ａの携帯器２の呼び出し電波の送信に対し、同じ種類Ａの４番目の携帯器２が呼び出し電波を受信すると、４番目の種類Ａの携帯器２を登録する。そして、種類Ａの全ての携帯器２の登録が完了すると、送受信器４を登録モードから運用モードに切り替える。
【００２８】
尚、特に図示はしないが、送受信器４は、最初（１番目）の携帯器２が種類Ｂであって、この種類Ｂの携帯器２が呼出し電波を受信した場合には、種類Ｂの携帯器２から呼出し電波の応答として受信する鍵データを鍵媒体情報として記憶部４ｃに記憶し、種類Ｂの携帯器２を登録する。そして、送受信器４は、種類Ｂの携帯器２の登録以降、種類Ｂの携帯器２の呼出し電波のみを送信する。同様に、送受信器４は、最初（１番目）の携帯器２が種類Ｃであって、この種類Ｃの携帯器２が呼出し電波を受信した場合には、種類Ｃの携帯器２から呼出し電波の応答として受信する鍵データを鍵媒体情報として記憶部４ｃに記憶し、種類Ｃの携帯器２を登録する。そして、送受信器４は、種類Ｃの携帯器２の登録以降、種類Ｃの携帯器２の呼出し電波のみを送信する。
【００２９】
（複数種類の携帯器２を登録して運用する場合）…図３
まず、所定の操作により送受信器４を運用モードから登録モードに切り替える。送受信器４は、登録モードに切り替わると、登録対象となる種類Ａの携帯器２を最初（１番目）の携帯器２として近接させ、この最初の種類Ａの携帯器２が登録されるまで全ての種類Ａ，Ｂ，Ｃの携帯器２の呼び出し電波を繰り返し送信する。
【００３０】
そして、送受信器４は、種類Ａの携帯器２の呼び出し電波の送信に対し、最初（１番目）の種類Ａの携帯器２が呼び出し電波を受信すると、この最初の種類Ａの携帯器２を登録する。すなわち、送受信器４は、最初（１番目）の種類Ａの携帯器２から呼出し電波の応答として受信した鍵データを鍵媒体情報として記憶部４ｃに記憶する。
【００３１】
続いて、登録対象となる種類Ｂの携帯器２を２番目の携帯器２として近接させ、この２番目の種類Ｂの携帯器２の呼出し電波の送信に対し、２番目の種類Ｂの携帯器２が呼出し電波を受信すると、この２番目の種類Ｂの携帯器２を登録する。すなわち、送受信器４は、２番目の種類Ｂの携帯器２から呼出し電波の応答として受信した鍵データを鍵媒体情報として記憶部４ｃに記憶する。
【００３２】
これにより、送受信器４は、以降、種類Ａ，Ｂの携帯器２の呼び出し電波を送信し、種類Ｃの携帯器２の呼出し電波の送信を停止する。この結果、３番目の種類Ｃの携帯器２には呼出し電波が送信されず、送受信器４と種類Ｃの携帯器２との間で無線通信を行うことがない。そして、種類Ａ，Ｂの全ての携帯器２の登録が完了すると、送受信器４を登録モードから運用モードに切り替える。
【００３３】
このように、本発明に係る電気錠システム１では、使用を許可する携帯器２の登録を行う登録モード時に、システムが対応する複数種類全ての携帯器２の呼出し電波を時間をずらして繰り返し送信し、最初（１番目）から所定種類の携帯器２が登録された後は、登録時及び運用時において、登録された種類の携帯器２の呼出し電波しか送信せず、未登録の種類の携帯器２の呼出し電波を送信しないようにしている。これにより、以下に示すような効果を奏する。
【００３４】
（１）携帯器２の登録後は、使用しない携帯器２の呼出し電波による送受信が無くなるので、不要電波の送信（放射）を無くすことができる。
（２）不要電波の送信（放射）が無くなることにより、無駄な電力消費を抑えることができ、特に、電気錠が電池駆動の場合に有効である。
（３）使用しない携帯器２の呼出し電波による送受信の時間を利用し、実際に使用する携帯器２の呼出し電波のみを繰り返し送信するので、電気錠を制御する際の反応速度を速くすることができる。
（４）使用する携帯器２を１種類のみに限定して対応する際、設定スイッチなどの設定手段が不要である。
（５）使用する携帯器２を１種類のみに限定して対応する際、電気錠システムが１種類の携帯器２に対応すれば良いので、無駄に在庫が増えることがなく、手配間違いも発生しない。
【００３５】
以上、本発明に係る電気錠システム１の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００３６】
１  電気錠システム
２  携帯器（鍵媒体）
３  ロック装置
４  送受信器
４ａ  送信部
４ｂ  受信部
４ｃ  記憶部
４ｄ  制御部
５  電気錠
【図１】
2015067998.tif 000003
【図２】
2015067998.tif 000004
【図３】
2015067998.tif 000005